(57)【特許請求の範囲】
【請求項１】
Ｘ個（Ｘ≧２）のリチウムイオン二次電池が並列接続された集合体がＹ個（Ｙ≧１）直列接続された組電池において、
前記集合体のうち少なくとも１つがＡｍΩの抵抗値をもつ正の温度係数素子を内蔵するリチウムイオン二次電池とＢｍΩの抵抗値をもつ正の温度係数素子を内蔵するリチウムイオン二次電池を含む組み合わせよりなり、この正の温度係数素子の抵抗値が異なる１つの前記集合体における前記ＡｍΩの正の温度係数素子を内蔵するリチウムイオン二次電池の個数をＬ、前記ＢｍΩの正の温度係数素子を内蔵するリチウムイオン二次電池の個数をＭとして、Ａ≠Ｂ、１≦Ｌ≦Ｘ−１、１≦Ｍ≦Ｘ−１、且つＬ＋Ｍ≦Ｘの関係を有することを特徴とする組電池。
【請求項２】
Ｘ個（Ｘ≧２）のリチウムイオン二次電池が並列接続された集合体がＹ個（Ｙ≧１）直列接続された組電池において、
該組電池の充電時に前記集合体のうち少なくとも１つがａ℃になる正の温度係数素子を内蔵するリチウムイオン二次電池とｂ℃になる正の温度係数素子を内蔵するリチウムイオン二次電池を含む組み合わせよりなり、この正の温度係数素子の抵抗値が異なる１つの前記集合体における前記ａ℃になるリチウムイオン二次電池の個数をＬ、前記ｂ℃になるリチウムイオン二次電池の個数をＭとして、ａ≠ｂ、１≦Ｌ≦Ｘ−１、１≦Ｍ≦Ｘ−１、且つＬ＋Ｍ≦Ｘの関係を有することを特徴とする組電池。
【発明の詳細な説明】
【０００１】
【発明の属する技術分野】
本発明は、リチウムイオン二次電池を用いた組電池に関するものである。
【０００２】
【従来の技術】
リチウムイオン二次電池は、過充電時には負極に金属リチウムが樹枝状に析出するため短絡が発生し、その後の放電には十分な容量が得られない。あるいは、更なる過充電によって最悪の場合、正極の分解反応により電池の内圧が上昇して破裂、発火を引き起こすという問題点がある。また、過放電時には負極の集電体の銅が電解液中に溶出し、その後の充電によって負極上に析出するため、容量が得られなくなるという問題点もある。そのためリチウムイオン二次電池を用いた組電池では、保護回路を設けて過放電と過充電を防いでいた。しかしながら、保護回路及び充電回路等の故障時には、上記問題が発生する問題点があった。
【０００３】
これを解決するために、電池の上蓋内に、該電池の内圧が上昇した場合に物理的に電池への通電を遮断する圧力スイッチを設け、過充電時に充電電流を遮断し、破裂、発火を防ぎ、安全性を確保することが提案されている。
【０００４】
【発明が解決しようとする課題】
しかしながら、圧力スイッチにより安全性が確保できるのは単セルによる場合であって、組電池にした場合は他の電池の持つ過充電による熱が原因となり、電池が熱逸走を起こし、破裂、発火を起こす問題点があった。
【０００５】
本発明の目的は、過充電時に熱逸走を起こさず、破裂、発火を防止できる組電池を提供することにある。
【０００６】
【課題を解決するための手段】
本発明は、Ｘ個（Ｘ≧２）のリチウムイオン二次電池が並列接続された集合体がＹ個（Ｙ≧１）直列接続された組電池を改良するものである。
【０００７】
本発明に係る１つの組電池においては、前記集合体のうち少なくとも１つがＡｍΩの抵抗値をもつ正の温度係数素子を内蔵するリチウムイオン二次電池とＢｍΩの抵抗値をもつ正の温度係数素子を内蔵するリチウムイオン二次電池を含む組み合わせよりなり、この正の温度係数素子の抵抗値が異なる１つの前記集合体におけるＡｍΩの正の温度係数素子を内蔵するリチウムイオン二次電池の個数をＬ、ＢｍΩの正の温度係数素子を内蔵するリチウムイオン二次電池の個数をＭとして、Ａ≠Ｂ、１≦Ｌ≦Ｘ−１、１≦Ｍ≦Ｘ−１、且つＬ＋Ｍ≦Ｘの関係を有することを特徴とする。
【０００８】
また本発明に係る他の組電池においては、該組電池の充電時に前記集合体のうち少なくとも１つがａ℃になる正の温度係数素子を内蔵するリチウムイオン二次電池とｂ℃になる正の温度係数素子を内蔵するリチウムイオン二次電池を含む組み合わせよりなり、この正の温度係数素子の抵抗値が異なる１つの前記集合体におけるａ℃になるリチウムイオン二次電池の個数をＬ、ｂ℃になるリチウムイオン二次電池の個数をＭとして、ａ≠ｂ、１≦Ｌ≦Ｘ−１、１≦Ｍ≦Ｘ−１、且つＬ＋Ｍ≦Ｘの関係を有することを特徴とする。
【０００９】
本発明においては、Ｘ個（Ｘ≧２）のリチウムイオン二次電池が並列接続された集合体を構成する各リチウムイオン二次電池の抵抗に差をもたせたため、充電時に並列に接続されている電池は抵抗の少ない電池に電流が集中して充電が行われる。また、抵抗の少ない電池が先に過充電状態になり、電池の温度が上昇し始めると、この抵抗の少ない電池に接続されている抵抗の少ない正の温度係数素子のトリップ温度（急激に抵抗値が増大する温度）が急上昇して、該抵抗の少ない正の温度係数素子の抵抗値が急上昇し、並列接続された電池において電池温度上昇時に抵抗の差が大きくなる。このため、今度は最初に抵抗が多かった電池に電流が集中して充電が行われ、この電池が過充電状態になってこの電池に接続されている最初に抵抗が多かった正の温度係数素子のトリップ温度が急上昇する。このようにして並列接続された電池間で、電池の急激な温度上昇のタイミングをずらすことになり、熱逸走を起こさずに、破裂、発火を防止できる。
【００１０】
一方、組電池の充電時に正の温度係数素子の温度を変化させたものは、抵抗は温度の関数で現わせるため抵抗値が異なり、上記した抵抗が異なる場合と同様な作用により、組電池の破裂、発火を防ぐことができる。
【００１１】
なお、普通の充電では、定電圧充電となるため、充電終了時には電池間で充電量が同じとなり、上記した特徴が充電特性に影響することはない。
【００１２】
【発明の実施の形態】
以下、本発明の実施の形態を実施例により説明する。
【００１３】
図１は本発明に係る組電池の実施例１−１と実施例２−１の構成を示す回路図である。
【００１４】
この実施例１−１と実施例２−１の組電池は、Ｘ＝２即ち２個づつのリチウムイオン二次電池（１Ａ1 ，１Ａ2 ）と、（１Ｂ1 ，１Ｂ2 ）と、（１Ｃ1 ，１Ｃ2 ）とがそれぞれ並列接続された集合体２Ａ，２Ｂ，２Ｃが、Ｙ＝３即ち３個直列接続されて、２並列３直列に構成されている。
【００１５】
実施例１−１の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に50ｍΩの抵抗値をもつ正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に25ｍΩの抵抗値をもつ正の温度係数素子４Ｂ1 が直列接続されて構成され、リチウムイオン二次電池１Ｂ2 はリチウムイオン二次電池本体３Ｂ2 に50ｍΩの抵抗値をもつ正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に50ｍΩの抵抗値をもつ正の温度係数素子４Ｃ1 が直列接続されて構成され、リチウムイオン二次電池１Ｃ2 はリチウムイオン二次電池本体３Ｃ2 に50ｍΩの抵抗値をもつ正の温度係数素子４Ｃ2 が直列接続されて構成され、これらが並列接続されて集合体２Ｃが構成されている。これら集合体２Ａ，２Ｂ，２Ｃは直列接続されている。
【００１６】
この例では、集合体２Ａ，２Ｂの２つが、ＡｍΩ＝25ｍΩの抵抗値をもつ正の温度係数素子４Ａ1 ，４Ｂ1 を内蔵するリチウムイオン二次電池１Ａ1 ，１Ｂ1 と、ＢｍΩ＝50ｍΩの抵抗値をもつ正の温度係数素子４Ａ2 ，４Ｂ2 を内蔵するリチウムイオン二次電池１Ａ2 ，１Ｂ2 を含む組み合わせよりなっている。
【００１７】
この正の温度係数素子の抵抗値が異なる１つの集合体２ＡにおけるＡｍΩ＝25ｍΩの正の温度係数素子を内蔵するリチウムイオン二次電池の個数ＬはＬ＝１、ＢｍΩ＝50ｍΩの正の温度係数素子を内蔵するリチウムイオン二次電池の個数ＭはＭ＝１である。このため、Ａ≠Ｂは25≠50、１≦Ｌ≦Ｘ−１は１＝１＝２−１即ち１＝１＝１、１≦Ｍ≦Ｘ−１は１＝１＝２−１即ち１＝１＝１、且つＬ＋Ｍ≦Ｘは１＋１＝２即ち２＝２の関係を有している。
【００１８】
実施例２−１の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が120 ℃になる正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が100 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が120 ℃になる正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が120 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が120 ℃になる正の温度係数素子４Ｃ2 が直列接続されて構成され、これらが並列接続されて集合体２Ｃが構成されている。これら集合体２Ａ，２Ｂ，２Ｃは直列接続されている。
【００１９】
この例では、集合体２Ａ，２Ｂの２つが、１ＣｍＡ充電時に温度がａ℃＝100 ℃になる正の温度係数素子４Ａ1 ，４Ｂ1 を内蔵するリチウムイオン二次電池１Ａ1 ，１Ｂ1 と、１ＣｍＡ充電時に温度がｂ℃＝120 ℃になる正の温度係数素子４Ａ2 ，４Ｂ2 を内蔵するリチウムイオン二次電池１Ａ2 ，１Ｂ2 を含む組み合わせよりなっている。
【００２０】
この正の温度係数素子の抵抗値が異なる１つの集合体２Ａにおける１ＣｍＡ充電時に温度がａ℃＝100 ℃になるリチウムイオン二次電池の個数ＬはＬ＝１、１ＣｍＡ充電時に温度がｂ℃＝120 ℃になるリチウムイオン二次電池の個数ＭはＭ＝１である。このため、Ａ≠Ｂは25≠50、１≦Ｌ≦Ｘ−１は１＝１＝２−１即ち１＝１＝１、１≦Ｍ≦Ｘ−１は１＝１＝２−１即ち１＝１＝１、且つＬ＋Ｍ≦Ｘは１＋１＝２即ち２＝２の関係を有している。
【００２１】
図２は本発明に係る組電池の実施例１−２と実施例２−２の構成を示す回路図である。
【００２２】
この実施例１−２と実施例２−２の組電池は、Ｘ＝２即ち２個のリチウムイオン二次電池１Ａ1 ，１Ａ2 が並列接続された集合体２ＡがＹ＝１即ち１個設けられて、２並列に構成されている。
【００２３】
実施例１−２の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に50ｍΩの抵抗値をもつ正の温度係数素子４Ａ2 が直列接続されて構成され構成され、これらが並列接続されて集合体２Ａが構成されている。
【００２４】
この例では、集合体２Ａが、ＡｍΩ＝25ｍΩの抵抗値をもつ正の温度係数素子４Ａ1 を内蔵するリチウムイオン二次電池１Ａ1 と、ＢｍΩ＝50ｍΩの抵抗値をもつ正の温度係数素子４Ａ2 を内蔵するリチウムイオン二次電池１Ａ2 を含む組み合わせよりなっている。
【００２５】
この正の温度係数素子の抵抗値が異なる１つの集合体２ＡにおけるＡｍΩ＝25ｍΩの正の温度係数素子を内蔵するリチウムイオン二次電池の個数ＬはＬ＝１、ＢｍΩ＝50ｍΩの正の温度係数素子を内蔵するリチウムイオン二次電池の個数ＭはＭ＝１である。このため、Ａ≠Ｂは25≠50、１≦Ｌ≦Ｘ−１は１＝１＝２−１即ち１＝１＝１、１≦Ｍ≦Ｘ−１は１＝１＝２−１即ち１＝１＝１、且つＬ＋Ｍ≦Ｘは１＋１＝２即ち２＝２の関係を有している。
【００２６】
実施例２−２の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が120 ℃になる正の温度係数素子４Ａ2 が直列接続されて構成されている。
【００２７】
この例では、集合体２Ａが、１ＣｍＡ充電時に温度がａ℃＝100 ℃になる正の温度係数素子４Ａ1 を内蔵するリチウムイオン二次電池１Ａ1 と、１ＣｍＡ充電時に温度がｂ℃＝120 ℃になる正の温度係数素子４Ａ2 を内蔵するリチウムイオン二次電池１Ａ2 を含む組み合わせよりなっている。
【００２８】
この正の温度係数素子の抵抗値が異なる１つの集合体２Ａにおける１ＣｍＡ充電時に温度がａ℃＝100 ℃になるリチウムイオン二次電池の個数ＬはＬ＝１、１ＣｍＡ充電時に温度がｂ℃＝120 ℃になるリチウムイオン二次電池の個数ＭはＭ＝１である。このため、Ａ≠Ｂは25≠50、１≦Ｌ≦Ｘ−１は１＝１＝２−１即ち１＝１＝１、１≦Ｍ≦Ｘ−１は１＝１＝２−１即ち１＝１＝１、且つＬ＋Ｍ≦Ｘは１＋１＝２即ち２＝２の関係を有している。
【００２９】
図３は本発明に係る組電池の実施例１−３と実施例２−３の構成を示す回路図である。
【００３０】
この実施例１−３と実施例２−３の組電池は、Ｘ＝２即ち２個づつのリチウムイオン二次電池（１Ａ1 ，１Ａ2 ）と、（１Ｂ1 ，１Ｂ2 ）と、（１Ｃ1 ，１Ｃ2 ）とがそれぞれ並列接続された集合体２Ａ，２Ｂ，２ＣがＹ＝３即ち３個直列接続されて、２並列３直列に構成されている。
【００３１】
実施例１−３の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に50ｍΩの抵抗値をもつ正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に25ｍΩの抵抗値をもつ正の温度係数素子４Ｂ1 が直列接続されて構成され、リチウムイオン二次電池１Ｂ2 はリチウムイオン二次電池本体３Ｂ2 に25ｍΩの抵抗値をもつ正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に25ｍΩの抵抗値をもつ正の温度係数素子４Ｃ1 が直列接続されて構成され、リチウムイオン二次電池１Ｃ2 はリチウムイオン二次電池本体３Ｃ2 に25ｍΩの抵抗値をもつ正の温度係数素子４Ｃ2 が直列接続されて構成され、これらが並列接続されて集合体２Ｃが構成されている。これら集合体２Ａ，２Ｂ，２Ｃは直列接続されている。
【００３２】
この例では、集合体２Ａが、ＡｍΩ＝25ｍΩの抵抗値をもつ正の温度係数素子４Ａ1 を内蔵するリチウムイオン二次電池１Ａ1 と、ＢｍΩ＝50ｍΩの抵抗値をもつ正の温度係数素子４Ａ2 を内蔵するリチウムイオン二次電池１Ａ2 を含む組み合わせよりなっている。
【００３３】
この正の温度係数素子の抵抗値が異なる１つの集合体２ＡにおけるＡｍΩ＝25ｍΩの正の温度係数素子を内蔵するリチウムイオン二次電池の個数ＬはＬ＝１、ＢｍΩ＝50ｍΩの正の温度係数素子を内蔵するリチウムイオン二次電池の個数ＭはＭ＝１である。このため、Ａ≠Ｂは25≠50、１≦Ｌ≦Ｘ−１は１＝１＝２−１即ち１＝１＝１、１≦Ｍ≦Ｘ−１は１＝１＝２−１即ち１＝１＝１、且つＬ＋Ｍ≦Ｘは１＋１＝２即ち２＝２の関係を有している。
【００３４】
実施例２−３の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が120 ℃になる正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が100 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が100 ℃になる正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が100 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が100 ℃になる正の温度係数素子４Ｃ2 が直列接続されて構成され、これらが並列接続されて集合体２Ｃが構成されている。
【００３５】
この例では、集合体２Ａが、１ＣｍＡ充電時に温度がａ℃＝100 ℃になる正の温度係数素子４Ａ1 を内蔵するリチウムイオン二次電池１Ａ1 と、１ＣｍＡ充電時に温度がｂ℃＝120 ℃になる正の温度係数素子４Ａ2 を内蔵するリチウムイオン二次電池１Ａ2 を含む組み合わせよりなっている。
【００３６】
この正の温度係数素子の抵抗値が異なる１つの集合体２Ａにおける１ＣｍＡ充電時に温度がａ℃＝100 ℃になるリチウムイオン二次電池の個数ＬはＬ＝１、１ＣｍＡ充電時に温度がｂ℃＝120 ℃になるリチウムイオン二次電池の個数ＭはＭ＝１である。このため、Ａ≠Ｂは25≠50、１≦Ｌ≦Ｘ−１は１＝１＝２−１即ち１＝１＝１、１≦Ｍ≦Ｘ−１は１＝１＝２−１即ち１＝１＝１、且つＬ＋Ｍ≦Ｘは１＋１＝２即ち２＝２の関係を有している。
【００３７】
図４は本発明に係る組電池の実施例１−４と実施例２−４の構成を示す回路図である。
【００３８】
この実施例１−４と実施例２−４の組電池は、Ｘ＝２即ち２個づつのリチウムイオン二次電池（１Ａ1 ，１Ａ2 ）と、（１Ｂ1 ，１Ｂ2 ）と、（１Ｃ1 ，１Ｃ2 ）とが並列接続された集合体２Ａ，２Ｂ，２ＣがＹ＝３即ち３個直列接続されて、２並列３直列に構成されている。
【００３９】
実施例１−４の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に50ｍΩの抵抗値をもつ正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に50ｍΩの抵抗値をもつ正の温度係数素子４Ｂ1 が直列接続されて構成され、リチウムイオン二次電池１Ｂ2 はリチウムイオン二次電池本体３Ｂ2 に50ｍΩの抵抗値をもつ正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に50ｍΩの抵抗値をもつ正の温度係数素子４Ｃ1 が直列接続されて構成され、リチウムイオン二次電池１Ｃ2 はリチウムイオン二次電池本体３Ｃ2 に50ｍΩの抵抗値をもつ正の温度係数素子４Ｃ2 が直列接続されて構成され、これらが並列接続されて集合体２Ｃが構成されている。これら集合体２Ａ，２Ｂ，２Ｃは直列接続されている。
【００４０】
この例では、集合体２Ａが、ＡｍΩ＝25ｍΩの抵抗値をもつ正の温度係数素子４Ａ1 を内蔵するリチウムイオン二次電池１Ａ1 と、ＢｍΩ＝50ｍΩの抵抗値をもつ正の温度係数素子４Ａ2 を内蔵するリチウムイオン二次電池１Ａ2 と、ＣｍΩ＝50ｍΩの抵抗値をもつ正の温度係数素子４Ａ3 を内蔵するリチウムイオン二次電池１Ａ3 とを含む組み合わせよりなっている。
【００４１】
この正の温度係数素子の抵抗値が異なる１つの集合体２ＡにおけるＡｍΩ＝25ｍΩの正の温度係数素子を内蔵するリチウムイオン二次電池の個数ＬはＬ＝１、ＢｍΩ＝50ｍΩの正の温度係数素子を内蔵するリチウムイオン二次電池の個数ＭはＭ＝１である。このため、Ａ≠Ｂは25≠50、１≦Ｌ≦Ｘ−１は１＝１＝２−１即ち１＝１＝１、１≦Ｍ≦Ｘ−１は１＝１＝２−１即ち１＝１＝１、且つＬ＋Ｍ≦Ｘは１＋１＝２即ち２＝２の関係を有している。
【００４２】
実施例２−４の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が120 ℃になる正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が120 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が120 ℃になる正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が120 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が120 ℃になる正の温度係数素子４Ｃ2 が直列接続され、これらが並列接続されて集合体２Ｃが構成されている。これら集合体２Ａ，２Ｂ，２Ｃは直列接続されている。
【００４３】
この例では、集合体２Ａが、１ＣｍＡ充電時に温度がａ℃＝100 ℃になる正の温度係数素子４Ａ1 を内蔵するリチウムイオン二次電池１Ａ1 と、１ＣｍＡ充電時に温度がｂ℃＝120 ℃になる正の温度係数素子４Ａ2 を内蔵するリチウムイオン二次電池１Ａ2 を含む組み合わせよりなっている。
【００４４】
この正の温度係数素子の抵抗値が異なる１つの集合体２Ａにおける１ＣｍＡ充電時に温度がａ℃＝100 ℃になるリチウムイオン二次電池の個数ＬはＬ＝１、１ＣｍＡ充電時に温度がｂ℃＝120 ℃になるリチウムイオン二次電池の個数ＭはＭ＝１である。このため、Ａ≠Ｂは25≠50、１≦Ｌ≦Ｘ−１は１＝１＝２−１即ち１＝１＝１、１≦Ｍ≦Ｘ−１は１＝１＝２−１即ち１＝１＝１、且つＬ＋Ｍ≦Ｘは１＋１＝２即ち２＝２の関係を有している。
【００４５】
図５は本発明に係る組電池の実施例１−５と実施例２−５の構成を示す回路図である。
【００４６】
この実施例１−５と実施例２−５の組電池は、Ｘ＝３即ち３個づつのリチウムイオン二次電池（１Ａ1 ，１Ａ2 ，１Ａ3 ）と、（１Ｂ1 ，１Ｂ2 ，１Ｂ3 ）と、（１Ｃ1 ，１Ｃ2 ，１Ｃ3 ）と、（１Ｄ1 ，１Ｄ2 ，１Ｄ3 ）とが並列接続された集合体２Ａ，２Ｂ，２Ｃ，２ＤがＹ＝４即ち４個直列接続されて、３並列４直列に構成されている。
【００４７】
実施例１−５の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に50ｍΩの抵抗値をもつ正の温度係数素子４Ａ2 が直列接続され、リチウムイオン二次電池１Ａ3 はリチウムイオン二次電池本体３Ａ3 に50ｍΩの抵抗値をもつ正の温度係数素子４Ａ3 が直列接続されて構成され、これらが並列接続されて集合体２Ａが構成されている。リチウムイオン二次電池１Ｂ1 はリチウムイオン二次電池本体３Ｂ1 に50ｍΩの抵抗値をもつ正の温度係数素子４Ｂ1 が直列接続されて構成され、リチウムイオン二次電池１Ｂ2 はリチウムイオン二次電池本体３Ｂ2 に50ｍΩの抵抗値をもつ正の温度係数素子４Ｂ2 が直列接続されて構成され、リチウムイオン二次電池１Ｂ3 はリチウムイオン二次電池本体３Ｂ3 に50ｍΩの抵抗値をもつ正の温度係数素子４Ｂ3 が直列接続されて構成され、これらが並列接続されて集合体２Ｂが構成されている。リチウムイオン二次電池１Ｃ1 はリチウムイオン二次電池本体３Ｃ1 に50ｍΩの抵抗値をもつ正の温度係数素子４Ｃ1 が直列接続されて構成され、リチウムイオン二次電池１Ｃ2 はリチウムイオン二次電池本体３Ｃ2 に50ｍΩの抵抗値をもつ正の温度係数素子４Ｃ2 が直列接続されて構成され、リチウムイオン二次電池１Ｃ3 はリチウムイオン二次電池本体３Ｃ3 に50ｍΩの抵抗値をもつ正の温度係数素子４Ｃ3 が直列接続されて構成され、これらが並列接続されて集合体２Ｃが構成されている。リチウムイオン二次電池１Ｄ1 はリチウムイオン二次電池本体３Ｄ1 に50ｍΩの抵抗値をもつ正の温度係数素子４Ｄ1 が直列接続されて構成され、リチウムイオン二次電池１Ｄ2 はリチウムイオン二次電池本体３Ｄ2 に50ｍΩの抵抗値をもつ正の温度係数素子４Ｄ2 が直列接続されて構成され、リチウムイオン二次電池１Ｄ3 はリチウムイオン二次電池本体３Ｄ3 に50ｍΩの抵抗値をもつ正の温度係数素子４Ｄ3 が直列接続されて構成され、これらが並列接続されて集合体２Ｄが構成されている。これら集合体２Ａ，２Ｂ，２Ｃ，２Ｄは直列接続されている。
【００４８】
この例では、集合体２Ａが、ＡｍΩ＝25ｍΩの抵抗値をもつ正の温度係数素子４Ａ1 を内蔵するリチウムイオン二次電池１Ａ1 と、ＢｍΩ＝50ｍΩの抵抗値をもつ正の温度係数素子４Ａ2 を内蔵するリチウムイオン二次電池１Ａ2 と、ＢｍΩ＝50ｍΩの抵抗値をもつ正の温度係数素子４Ａ3 を内蔵するリチウムイオン二次電池１Ａ3 とを含む組み合わせよりなっている。
【００４９】
この正の温度係数素子の抵抗値が異なる１つの集合体２ＡにおけるＡｍΩ＝25ｍΩの正の温度係数素子を内蔵するリチウムイオン二次電池の個数ＬはＬ＝１、ＢｍΩ＝50ｍΩの正の温度係数素子を内蔵するリチウムイオン二次電池の個数ＭはＭ＝２である。このため、Ａ≠Ｂは25≠50、１≦Ｌ≦Ｘ−１は１＝１＜３−１即ち１＝１＜２、１≦Ｍ≦Ｘ−１は１＜２＝３−１即ち１＜２＝２、且つＬ＋Ｍ≦Ｘは１＋２＝３即ち３＝３の関係を有している。
【００５０】
実施例２−５の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が120 ℃になる正の温度係数素子４Ａ2 が直列接続されて構成され、リチウムイオン二次電池１Ａ3 はリチウムイオン二次電池本体３Ａ3 に、１ＣｍＡ充電時に温度が120 ℃になる正の温度係数素子４Ａ3 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が120 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が120 ℃になる正の温度係数素子４Ｂ2 が直列接続されて構成され、リチウムイオン二次電池１Ｂ3 はリチウムイオン二次電池本体３Ｂ3 に、１ＣｍＡ充電時に温度が120 ℃になる正の温度係数素子４Ｂ3 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が120 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が120 ℃になる正の温度係数素子４Ｃ2 が直列接続されて構成され、リチウムイオン二次電池１Ｃ3 はリチウムイオン二次電池本体３Ｃ3 に、１ＣｍＡ充電時に温度が120 ℃になる正の温度係数素子４Ｃ3 が直列接続されて構成され、これらが並列接続されて集合体２Ｃが構成されている。リチウムイオン二次電池１Ｄ1 はリチウムイオン二次電池本体３Ｄ1 に、１ＣｍＡ充電時に温度が120 ℃になる正の温度係数素子４Ｄ1 が直列接続されて構成され、リチウムイオン二次電池１Ｄ2 はリチウムイオン二次電池本体３Ｄ2 に、１ＣｍＡ充電時に温度が120 ℃になる正の温度係数素子４Ｄ2 が直列接続されて構成され、リチウムイオン二次電池１Ｄ3 はリチウムイオン二次電池本体３Ｄ3 に、１ＣｍＡ充電時に温度が120 ℃になる正の温度係数素子４Ｄ3 が直列接続されて構成され、これらが並列接続されて集合体２Ｄが構成されている。これら集合体２Ａ，２Ｂ，２Ｃ，２Ｄは直列接続されている。
【００５１】
この例では、集合体２Ａが、１ＣｍＡ充電時に温度がａ℃＝100 ℃になる正の温度係数素子４Ａ1 を内蔵するリチウムイオン二次電池１Ａ1 と、１ＣｍＡ充電時に温度がｂ℃＝120 ℃になる正の温度係数素子４Ａ2 を内蔵するリチウムイオン二次電池１Ａ2 と、１ＣｍＡ充電時に温度がｂ℃＝120 ℃になる正の温度係数素子４Ａ3 を内蔵するリチウムイオン二次電池１Ａ3 とを含む組み合わせよりなっている。
【００５２】
この正の温度係数素子の抵抗値が異なる１つの集合体２Ａにおける１ＣｍＡ充電時に温度がａ℃＝100 ℃になるリチウムイオン二次電池の個数ＬはＬ＝１、１ＣｍＡ充電時に温度がｂ℃＝120 ℃になるリチウムイオン二次電池の個数ＭはＭ＝２である。このため、Ａ≠Ｂは25≠50、１≦Ｌ≦Ｘ−１は１＝１＜３−１即ち１＝１＜２、１≦Ｍ≦Ｘ−１は１＜２＝３−１即ち１＜２＝２、且つＬ＋Ｍ≦Ｘは１＋２＝３即ち３＝３の関係を有している。
【００５３】
図６は本発明に係る組電池の実施例１−６と実施例２−６の構成を示す回路図である。
【００５４】
この実施例１−６と実施例２−６の組電池は、リチウムイオン二次電池（１Ａ1 ，１Ａ2 ，１Ａ3 ）と、（１Ｂ1 ，１Ｂ2 ，１Ｂ3 ）と、（１Ｃ1 ，１Ｃ2 ，１Ｃ3 ）と、（１Ｄ1 ，１Ｄ2 ，１Ｄ3 ）とが並列接続された集合体２Ａ，２Ｂ，２Ｃ，２ＤがＹ＝４即ち４個直列接続されて、３並列４直列に構成されている。
【００５５】
実施例１−６の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に25ｍΩの抵抗値をもつ正の温度係数素子４Ａ2 が直列接続され、リチウムイオン二次電池１Ａ3 はリチウムイオン二次電池本体３Ａ3 に25ｍΩの抵抗値をもつ正の温度係数素子４Ａ3 が直列接続されて構成され、これらが並列接続されて集合体２Ａが構成されている。リチウムイオン二次電池１Ｂ1 はリチウムイオン二次電池本体３Ｂ1 に25ｍΩの抵抗値をもつ正の温度係数素子４Ｂ1 が直列接続されて構成され、リチウムイオン二次電池１Ｂ2 はリチウムイオン二次電池本体３Ｂ2 に25ｍΩの抵抗値をもつ正の温度係数素子４Ｂ2 が直列接続されて構成され、リチウムイオン二次電池１Ｂ3 はリチウムイオン二次電池本体３Ｂ3 に50ｍΩの抵抗値をもつ正の温度係数素子４Ｂ3 が直列接続されて構成され、これらが並列接続されて集合体２Ｂが構成されている。リチウムイオン二次電池１Ｃ1 はリチウムイオン二次電池本体３Ｃ1 に25ｍΩの抵抗値をもつ正の温度係数素子４Ｃ1 が直列接続されて構成され、リチウムイオン二次電池１Ｃ2 はリチウムイオン二次電池本体３Ｃ2 に50ｍΩの抵抗値をもつ正の温度係数素子４Ｃ2 が直列接続されて構成され、リチウムイオン二次電池１Ｃ3 はリチウムイオン二次電池本体３Ｃ3 に50ｍΩの抵抗値をもつ正の温度係数素子４Ｃ3 が直列接続されて構成され、これらが並列接続されて集合体２Ｃが構成されている。リチウムイオン二次電池１Ｄ1 はリチウムイオン二次電池本体３Ｄ1 に50ｍΩの抵抗値をもつ正の温度係数素子４Ｄ1 が直列接続されて構成され、リチウムイオン二次電池１Ｄ2 はリチウムイオン二次電池本体３Ｄ2 に50ｍΩの抵抗値をもつ正の温度係数素子４Ｄ2 が直列接続されて構成され、リチウムイオン二次電池１Ｄ3 はリチウムイオン二次電池本体３Ｄ3 に50ｍΩの抵抗値をもつ正の温度係数素子４Ｄ3 が直列接続されて構成され、これらが並列接続されて集合体２Ｄが構成されている。これら集合体２Ａ，２Ｂ，２Ｃ，２Ｄは直列接続されている。
【００５６】
この例では、集合体２Ｂ，２Ｃが、ＡｍΩ＝25ｍΩの抵抗値をもつ正の温度係数素子４Ｂ1 ，４Ｃ1 ，４Ｂ2 を内蔵するリチウムイオン二次電池１Ｂ1 ，１Ｃ1 ，１Ｂ2 と、ＢｍΩ＝50ｍΩの抵抗値をもつ正の温度係数素子４Ｃ2 ，４Ｂ3 ，４Ｃ3 を内蔵するリチウムイオン二次電池１Ｃ2 ，１Ｂ3 ，１Ｃ3 とを含む組み合わせよりなっている。
【００５７】
この正の温度係数素子の抵抗値が異なる１つの集合体２ＢにおけるＡｍΩ＝25ｍΩの正の温度係数素子を内蔵するリチウムイオン二次電池の個数ＬはＬ＝２、ＢｍΩ＝50ｍΩの正の温度係数素子を内蔵するリチウムイオン二次電池の個数ＭはＭ＝１である。このため、Ａ≠Ｂは25≠50、１≦Ｌ≦Ｘ−１は１＜２＝３−１即ち１＜２＝２、１≦Ｍ≦Ｘ−１は１＝１＜３−１即ち１＝１＜２、且つＬ＋Ｍ≦Ｘは２＋１＝３即ち３＝３の関係を有している。
【００５８】
実施例２−６の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が100 ℃になる正の温度係数素子４Ａ2 が直列接続されて構成され、リチウムイオン二次電池１Ａ3 はリチウムイオン二次電池本体３Ａ3 に、１ＣｍＡ充電時に温度が100 ℃になる正の温度係数素子４Ａ3 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が100 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が100 ℃になる正の温度係数素子４Ｂ2 が直列接続されて構成され、リチウムイオン二次電池１Ｂ3 はリチウムイオン二次電池本体３Ｂ3 に、１ＣｍＡ充電時に温度が120 ℃になる正の温度係数素子４Ｂ3 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が100 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が120 ℃になる正の温度係数素子４Ｃ2 が直列接続されて構成され、リチウムイオン二次電池１Ｃ3 はリチウムイオン二次電池本体３Ｃ3 に、１ＣｍＡ充電時に温度が120 ℃になる正の温度係数素子４Ｃ3 が直列接続されて構成され、これらが並列接続されて集合体２Ｂが構成されている。リチウムイオン二次電池１Ｄ1 はリチウムイオン二次電池本体３Ｄ1 に、１ＣｍＡ充電時に温度が120 ℃になる正の温度係数素子４Ｄ1 が直列接続されて構成され、リチウムイオン二次電池１Ｄ2 はリチウムイオン二次電池本体３Ｄ2 に、１ＣｍＡ充電時に温度が120 ℃になる正の温度係数素子４Ｄ2 が直列接続されて構成され、リチウムイオン二次電池１Ｄ3 はリチウムイオン二次電池本体３Ｄ3 に、１ＣｍＡ充電時に温度が120 ℃になる正の温度係数素子４Ｄ3 が直列接続されて構成され、これらが並列接続されて集合体２Ｄが構成されている。これら集合体２Ａ，２Ｂ，２Ｃ，２Ｄは直列接続されている。
【００５９】
この例では、集合体２Ｂ，２Ｃが、１ＣｍＡ充電時に温度がａ℃＝100 ℃になる正の温度係数素子４Ｂ1 ，４Ｃ1 ，４Ｂ2 を内蔵するリチウムイオン二次電池１Ｂ1 ，１Ｃ1 ，１Ｂ2 と、１ＣｍＡ充電時に温度がｂ℃＝120 ℃になる正の温度係数素子４Ｃ2 ，４Ｂ3 ，４Ｃ3 を内蔵するリチウムイオン二次電池１Ｃ2 ，１Ｂ3 ，１Ｃ3 とを含む組み合わせよりなっている。
【００６０】
この正の温度係数素子の抵抗値が異なる１つの集合体２Ａにおける１ＣｍＡ充電時に温度がａ℃＝100 ℃になるリチウムイオン二次電池の個数ＬはＬ＝２、１ＣｍＡ充電時に温度がｂ℃＝120 ℃になるリチウムイオン二次電池の個数ＭはＭ＝１である。このため、Ａ≠Ｂは25≠50、１≦Ｌ≦Ｘ−１は１＜２＝３−１即ち１＜２＝２、１≦Ｍ≦Ｘ−１は１＝１＝２−１即ち１＝１＝１、且つＬ＋Ｍ≦Ｘは２＋１＝３即ち３＝３の関係を有している。
【００６１】
図７は本発明に係る組電池の実施例１−７と実施例２−７の構成を示す回路図である。
【００６２】
この実施例１−７と実施例２−７の組電池は、Ｘ＝３即ち３個づつのリチウムイオン二次電池（１Ａ1 ，１Ａ2 ，１Ａ3 ）と、（１Ｂ1 ，１Ｂ2 ，１Ｂ3 ）と、（１Ｃ1 ，１Ｃ2 ，１Ｃ3 ）と、（１Ｄ1 ，１Ｄ2 ，１Ｄ3 ）とが並列接続された集合体２Ａ，２Ｂ，２Ｃ，２ＤがＹ＝４即ち４個直列接続されて、３並列４直列に構成されている。
【００６３】
実施例１−７の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に25ｍΩの抵抗値をもつ正の温度係数素子４Ａ2 が直列接続され、リチウムイオン二次電池１Ａ3 はリチウムイオン二次電池本体３Ａ3 に25ｍΩの抵抗値をもつ正の温度係数素子４Ａ3 が直列接続されて構成され、これらが並列接続されて集合体２Ａが構成されている。リチウムイオン二次電池１Ｂ1 はリチウムイオン二次電池本体３Ｂ1 に25ｍΩの抵抗値をもつ正の温度係数素子４Ｂ1 が直列接続されて構成され、リチウムイオン二次電池１Ｂ2 はリチウムイオン二次電池本体３Ｂ2 に25ｍΩの抵抗値をもつ正の温度係数素子４Ｂ2 が直列接続されて構成され、リチウムイオン二次電池１Ｂ3 はリチウムイオン二次電池本体３Ｂ3 に25ｍΩの抵抗値をもつ正の温度係数素子４Ｂ3 が直列接続されて構成され、これらが並列接続されて集合体２Ｂが構成されている。リチウムイオン二次電池１Ｃ1 はリチウムイオン二次電池本体３Ｃ1 に25ｍΩの抵抗値をもつ正の温度係数素子４Ｃ1 が直列接続されて構成され、リチウムイオン二次電池１Ｃ2 はリチウムイオン二次電池本体３Ｃ2 に25ｍΩの抵抗値をもつ正の温度係数素子４Ｃ2 が直列接続されて構成され、リチウムイオン二次電池１Ｃ3 はリチウムイオン二次電池本体３Ｃ3 に25ｍΩの抵抗値をもつ正の温度係数素子４Ｃ3 が直列接続されて構成され、これらが並列接続されて集合体２Ｃが構成されている。リチウムイオン二次電池１Ｄ1 はリチウムイオン二次電池本体３Ｄ1 に25ｍΩの抵抗値をもつ正の温度係数素子４Ｄ1 が直列接続されて構成され、リチウムイオン二次電池１Ｄ2 はリチウムイオン二次電池本体３Ｄ2 に25ｍΩの抵抗値をもつ正の温度係数素子４Ｄ2 が直列接続されて構成され、リチウムイオン二次電池１Ｄ3 はリチウムイオン二次電池本体３Ｄ3 に50ｍΩの抵抗値をもつ正の温度係数素子４Ｄ3 が直列接続されて構成され、これらが並列接続されて集合体２Ｄが構成されている。これら集合体２Ａ，２Ｂ，２Ｃ，２Ｄは直列接続されている。
【００６４】
この例では、集合体２Ｄが、ＡｍΩ＝25ｍΩの抵抗値をもつ正の温度係数素子４Ｄ1 ，４Ｄ2 を内蔵するリチウムイオン二次電池１Ｄ1 ，１Ｄ2 と、ＢｍΩ＝50ｍΩの抵抗値をもつ正の温度係数素子４Ｄ3 を内蔵するリチウムイオン二次電池１Ｄ3 とを含む組み合わせよりなっている。
【００６５】
この正の温度係数素子の抵抗値が異なる１つの集合体２ＤにおけるＡｍΩ＝25ｍΩの正の温度係数素子を内蔵するリチウムイオン二次電池の個数ＬはＬ＝２、ＢｍΩ＝50ｍΩの正の温度係数素子を内蔵するリチウムイオン二次電池の個数ＭはＭ＝１である。このため、Ａ≠Ｂは25≠50、１≦Ｌ≦Ｘ−１は１＜２＝３−１即ち１＜２＝２、１≦Ｍ≦Ｘ−１は１＝１＜３−１即ち１＝１＜２、且つＬ＋Ｍ≦Ｘは２＋１＝３即ち３＝３の関係を有している。
【００６６】
実施例２−７の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が100 ℃になる正の温度係数素子４Ａ2 が直列接続されて構成され、リチウムイオン二次電池１Ａ3 はリチウムイオン二次電池本体３Ａ3 に、１ＣｍＡ充電時に温度が100 ℃になる正の温度係数素子４Ａ3 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が100 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が100 ℃になる正の温度係数素子４Ｂ2 が直列接続されて構成され、リチウムイオン二次電池１Ｂ3 はリチウムイオン二次電池本体３Ｂ3 に、１ＣｍＡ充電時に温度が100 ℃になる正の温度係数素子４Ｂ3 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が100 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が100 ℃になる正の温度係数素子４Ｃ2 が直列接続されて構成され、リチウムイオン二次電池１Ｃ3 はリチウムイオン二次電池本体３Ｃ3 に、１ＣｍＡ充電時に温度が100 ℃になる正の温度係数素子４Ｃ3 が直列接続されて構成され、これらが並列接続されて集合体２Ｂが構成されている。リチウムイオン二次電池１Ｄ1 はリチウムイオン二次電池本体３Ｄ1 に、１ＣｍＡ充電時に温度が100 ℃になる正の温度係数素子４Ｄ1 が直列接続されて構成され、リチウムイオン二次電池１Ｄ2 はリチウムイオン二次電池本体３Ｄ2 に、１ＣｍＡ充電時に温度が100 ℃になる正の温度係数素子４Ｄ2 が直列接続されて構成され、リチウムイオン二次電池１Ｄ3 はリチウムイオン二次電池本体３Ｄ3 に、１ＣｍＡ充電時に温度が120 ℃になる正の温度係数素子４Ｄ3 が直列接続されて構成され、これらが並列接続されて集合体２Ｂが構成されている。
【００６７】
この例では、集合体２Ｄが、１ＣｍＡ充電時に温度がａ℃＝100 ℃になる正の温度係数素子４Ｄ1 ，４Ｄ2 を内蔵するリチウムイオン二次電池１Ｄ1 ，１Ｄ2 と、１ＣｍＡ充電時に温度がｂ℃＝120 ℃になる正の温度係数素子４Ｄ3 を内蔵するリチウムイオン二次電池１Ｄ3 を含む組み合わせよりなっている。
【００６８】
この正の温度係数素子の抵抗値が異なる１つの集合体２Ｄにおける１ＣｍＡ充電時に温度がａ℃＝100 ℃になるリチウムイオン二次電池の個数ＬはＬ＝２、１ＣｍＡ充電時に温度がｂ℃＝120 ℃になるリチウムイオン二次電池の個数ＭはＭ＝１である。このため、Ａ≠Ｂは25≠50、１≦Ｌ≦Ｘ−１は１＜２＝３−１即ち１＜２＝２、１≦Ｍ≦Ｘ−１は１＝１＜３−１即ち１＝１＜２、且つＬ＋Ｍ≦Ｘは２＋１＝３即ち３＝３の関係を有している。
【００６９】
図８は比較例の組電池の比較例１−１と比較例２−１の構成を示す回路図である。
【００７０】
この比較例１−１と比較例２−１の組電池は、Ｘ＝２即ち２個づつのリチウムイオン二次電池（１Ａ1 ，１Ａ2 ）と、（１Ｂ1 ，１Ｂ2 ）と、（１Ｃ1 ，１Ｃ2 ）とがそれぞれ並列接続された集合体２Ａ，２Ｂ，２Ｃが、Ｙ＝３即ち３個直列接続されて、２並列３直列に構成されている。
【００７１】
比較例１−１の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に25ｍΩの抵抗値をもつ正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に50ｍΩの抵抗値をもつ正の温度係数素子４Ｂ1 が直列接続されて構成され、リチウムイオン二次電池１Ｂ2 はリチウムイオン二次電池本体３Ｂ2 に50ｍΩの抵抗値をもつ正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に50ｍΩの抵抗値をもつ正の温度係数素子４Ｃ1 が直列接続されて構成され、リチウムイオン二次電池１Ｃ2 はリチウムイオン二次電池本体３Ｃ2 に50ｍΩの抵抗値をもつ正の温度係数素子４Ｃ2 が直列接続されて構成され、これらが並列接続されて集合体２Ｃが構成されている。これら集合体２Ａ，２Ｂ，２Ｃは直列接続されている。
【００７２】
この例では、抵抗値が異なっている正の温度係数素子をもつリチウムイオン二次電池の集合体はない。このため前述した不等式の関係もない。
【００７３】
比較例２−１の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が100 ℃になる正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が120 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が120 ℃になる正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が120 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が120 ℃になる正の温度係数素子４Ｃ2 が直列接続されて構成され、これらが並列接続されて集合体２Ｃが構成されている。これら集合体２Ａ，２Ｂ，２Ｃは直列接続されている。
【００７４】
この例でも、抵抗値が異なっている正の温度係数素子をもつリチウムイオン二次電池の集合体はない。このため前述した不等式の関係もない。
【００７５】
図９は比較例の組電池の比較例１−２と比較例２−２の構成を示す回路図である。
【００７６】
この比較例１−２と比較例２−２の組電池は、Ｘ＝２即ち２個のリチウムイオン二次電池１Ａ1 ，１Ａ2 が並列接続された集合体２ＡがＹ＝１即ち１個設けられて、２並列に構成されている。
【００７７】
比較例１−２の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に25ｍΩの抵抗値をもつ正の温度係数素子４Ａ2 が直列接続されて構成され構成され、これらが並列接続されて集合体２Ａが構成されている。
【００７８】
この例でも、抵抗値が異なっている正の温度係数素子をもつリチウムイオン二次電池の集合体はない。このため前述した不等式の関係もない。
【００７９】
比較例２−２の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が100 ℃になる正の温度係数素子４Ａ2 が直列接続されて構成されている。
【００８０】
この例でも、抵抗値が異なっている正の温度係数素子をもつリチウムイオン二次電池の集合体はない。このため前述した不等式の関係もない。
【００８１】
図１０は比較例の組電池の比較例１−３と比較例２−３の構成を示す回路図である。
【００８２】
この比較例１−３と比較例２−３の組電池は、Ｘ＝２即ち２個づつのリチウムイオン二次電池（１Ａ1 ，１Ａ2 ）と、（１Ｂ1 ，１Ｂ2 ）と、（１Ｃ1 ，１Ｃ2 ）とがそれぞれ並列接続された集合体２Ａ，２Ｂ，２ＣがＹ＝３即ち３個直列接続されて、２並列３直列に構成されている。
【００８３】
比較例１−３の組電池においては、リチウムイオン二次電池１Ａ1 はリチウムイオン二次電池本体３Ａ1 に50ｍΩの抵抗値をもつ正の温度係数素子４Ａ1 が直列接続されて構成され、リチウムイオン二次電池１Ａ2 はリチウムイオン二次電池本体３Ａ2 に50ｍΩの抵抗値をもつ正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に50ｍΩの抵抗値をもつ正の温度係数素子４Ｂ1 が直列接続されて構成され、リチウムイオン二次電池１Ｂ2 はリチウムイオン二次電池本体３Ｂ2 に50ｍΩの抵抗値をもつ正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に50ｍΩの抵抗値をもつ正の温度係数素子４Ｃ1 が直列接続されて構成され、リチウムイオン二次電池１Ｃ2 はリチウムイオン二次電池本体３Ｃ2 に50ｍΩの抵抗値をもつ正の温度係数素子４Ｃ2 が直列接続されて構成され、これらが並列接続されて集合体２Ｃが構成されている。これら集合体２Ａ，２Ｂ，２Ｃは直列接続されている。
【００８４】
この例でも、抵抗値が異なっている正の温度係数素子をもつリチウムイオン二次電池の集合体はない。このため前述した不等式の関係もない。
【００８５】
比較例２−３の組電池においては、リチウムイオン二次電池１Ａ1 はリチウムイオン二次電池本体３Ａ1 に、１ＣｍＡ充電時に温度が120 ℃になる正の温度係数素子４Ａ1 が直列接続されて構成され、リチウムイオン二次電池１Ａ2 はリチウムイオン二次電池本体３Ａ2 に、１ＣｍＡ充電時に温度が120 ℃になる正の温度係数素子４Ａ2 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が120 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が120 ℃になる正の温度係数素子４Ｂ2 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が120 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が120 ℃になる正の温度係数素子４Ｃ2 が直列接続されて構成され、これらが並列接続されて集合体２Ｃが構成されている。
【００８６】
この例でも、抵抗値が異なっている正の温度係数素子をもつリチウムイオン二次電池の集合体はない。このため前述した不等式の関係もない。
【００８７】
図１１は比較例の組電池の比較例１−４と比較例２−４の構成を示す回路図である。
【００８８】
この比較例１−４と比較例２−４の組電池は、Ｘ＝３即ち３個づつのリチウムイオン二次電池（１Ａ1 ，１Ａ2 ，１Ａ3 ）と、（１Ｂ1 ，１Ｂ2 ，１Ｂ3 ）と、（１Ｃ1 ，１Ｃ2 ，１Ｃ3 ）と、（１Ｄ1 ，１Ｄ2 ，１Ｄ3 ）とが並列接続された集合体２Ａ，２Ｂ，２Ｃ，２ＤがＹ＝４即ち４個直列接続されて、３並列４直列に構成されている。
【００８９】
比較例１−４の組電池においては、リチウムイオン二次電池１Ａ1 はリチウムイオン二次電池本体３Ａ1 に25ｍΩの抵抗値をもつ正の温度係数素子４Ａ1 が直列接続されて構成され、リチウムイオン二次電池１Ａ2 はリチウムイオン二次電池本体３Ａ2 に25ｍΩの抵抗値をもつ正の温度係数素子４Ａ2 が直列接続され、リチウムイオン二次電池１Ａ3 はリチウムイオン二次電池本体３Ａ3 に25ｍΩの抵抗値をもつ正の温度係数素子４Ａ3 が直列接続されて構成され、これらが並列接続されて集合体２Ａが構成されている。リチウムイオン二次電池１Ｂ1 はリチウムイオン二次電池本体３Ｂ1 に25ｍΩの抵抗値をもつ正の温度係数素子４Ｂ1 が直列接続されて構成され、リチウムイオン二次電池１Ｂ2 はリチウムイオン二次電池本体３Ｂ2 に25ｍΩの抵抗値をもつ正の温度係数素子４Ｂ2 が直列接続されて構成され、リチウムイオン二次電池１Ｂ3 はリチウムイオン二次電池本体３Ｂ3 に25ｍΩの抵抗値をもつ正の温度係数素子４Ｂ3 が直列接続されて構成され、これらが並列接続されて集合体２Ｂが構成されている。リチウムイオン二次電池１Ｃ1 はリチウムイオン二次電池本体３Ｃ1 に25ｍΩの抵抗値をもつ正の温度係数素子４Ｃ1 が直列接続されて構成され、リチウムイオン二次電池１Ｃ2 はリチウムイオン二次電池本体３Ｃ2 に25ｍΩの抵抗値をもつ正の温度係数素子４Ｃ2 が直列接続されて構成され、リチウムイオン二次電池１Ｃ3 はリチウムイオン二次電池本体３Ｃ3 に25ｍΩの抵抗値をもつ正の温度係数素子４Ｃ3 が直列接続されて構成され、これらが並列接続されて集合体２Ｃが構成されている。リチウムイオン二次電池１Ｄ1 はリチウムイオン二次電池本体３Ｄ1 に25ｍΩの抵抗値をもつ正の温度係数素子４Ｄ1 が直列接続されて構成され、リチウムイオン二次電池１Ｄ2 はリチウムイオン二次電池本体３Ｄ2 に25ｍΩの抵抗値をもつ正の温度係数素子４Ｄ2 が直列接続されて構成され、リチウムイオン二次電池１Ｄ3 はリチウムイオン二次電池本体３Ｄ3 に25ｍΩの抵抗値をもつ正の温度係数素子４Ｄ3 が直列接続されて構成され、これらが並列接続されて集合体２Ｄが構成されている。これら集合体２Ａ，２Ｂ，２Ｃ，２Ｄは直列接続されている。
【００９０】
この例でも、抵抗値が異なっている正の温度係数素子をもつリチウムイオン二次電池の集合体はない。このため前述した不等式の関係もない。
【００９１】
比較例２−４の組電池においては、リチウムイオン二次電池１Ａ1 はリチウムイオン二次電池本体３Ａ1 に、１ＣｍＡ充電時に温度が100 ℃になる正の温度係数素子４Ａ1 が直列接続されて構成され、リチウムイオン二次電池１Ａ2 はリチウムイオン二次電池本体３Ａ2 に、１ＣｍＡ充電時に温度が100 ℃になる正の温度係数素子４Ａ2 が直列接続されて構成され、リチウムイオン二次電池１Ａ3 はリチウムイオン二次電池本体３Ａ3 に、１ＣｍＡ充電時に温度が100 ℃になる正の温度係数素子４Ａ3 が直列接続されて構成され、これらが並列接続されて集合体２Ａが構成されている。リチウムイオン二次電池１Ｂ1 はリチウムイオン二次電池本体３Ｂ1 に、１ＣｍＡ充電時に温度が100 ℃になる正の温度係数素子４Ｂ1 が直列接続されて構成され、リチウムイオン二次電池１Ｂ2 はリチウムイオン二次電池本体３Ｂ2 に、１ＣｍＡ充電時に温度が100 ℃になる正の温度係数素子４Ｂ2 が直列接続されて構成され、リチウムイオン二次電池１Ｂ3 はリチウムイオン二次電池本体３Ｂ3 に、１ＣｍＡ充電時に温度が100 ℃になる正の温度係数素子４Ｂ3 が直列接続されて構成され、これらが並列接続されて集合体２Ｂが構成されている。リチウムイオン二次電池１Ｃ1 はリチウムイオン二次電池本体３Ｃ1 に、１ＣｍＡ充電時に温度が100 ℃になる正の温度係数素子４Ｃ1 が直列接続されて構成され、リチウムイオン二次電池１Ｃ2 はリチウムイオン二次電池本体３Ｃ2 に、１ＣｍＡ充電時に温度が100 ℃になる正の温度係数素子４Ｃ2 が直列接続されて構成され、リチウムイオン二次電池１Ｃ3 はリチウムイオン二次電池本体３Ｃ3 に、１ＣｍＡ充電時に温度が100 ℃になる正の温度係数素子４Ｃ3 が直列接続されて構成され、これらが並列接続されて集合体２Ｃが構成されている。リチウムイオン二次電池１Ｄ1 はリチウムイオン二次電池本体３Ｄ1 に、１ＣｍＡ充電時に温度が100 ℃になる正の温度係数素子４Ｄ1 が直列接続されて構成され、リチウムイオン二次電池１Ｄ2 はリチウムイオン二次電池本体３Ｄ2 に、１ＣｍＡ充電時に温度が100 ℃になる正の温度係数素子４Ｄ2 が直列接続されて構成され、リチウムイオン二次電池１Ｄ3 はリチウムイオン二次電池本体３Ｄ3 に、１ＣｍＡ充電時に温度が100 ℃になる正の温度係数素子４Ｄ3 が直列接続されて構成され、これらが並列接続されて集合体２Ｄが構成されている。これら集合体２Ａ，２Ｂ，２Ｃ，２Ｄは直列接続されている。
【００９２】
この例でも、抵抗値が異なっている正の温度係数素子をもつリチウムイオン二次電池の集合体はない。このため前述した不等式の関係もない。
【００９３】
上述した各実施例と各比較例の組電池を用いて過充電試験を行った結果を表１と表２に示す。即ち、表１は、実施例１−１〜実施例１−７と、比較例１−１〜比較例１−４による過充電試験を示す。表２は、実施例２−１〜実施例２−７と、比較例２−１〜比較例２−４による過充電試験を示す。なお、今回用いたリチウムイオン二次電池は、正極活物質がコバルト酸リチウム、負極活物質が非晶質炭素材からなる公称容量1300ｍＡｈの電池で、過充電試験方法は電流値２ＣｍＡ、環境温度30℃で行った。
【００９４】
【表１】
0003635995.tif 000002
【表２】
0003635995.tif 000003
これら表１及び表２より、本実施例の組電池は、破裂、発火を起こさず、比較例の組電池に比べて優れていることが分かった。また、比較例については、組電池を構成する電池の数が増えるに従い、破裂、発火の数が増えることから、組電池を構成する電池の数が多いほど破裂、発火の数が大きくなることが分かった。
【００９５】
今回は、正の温度係数素子の抵抗及び組電池充電時の正の温度係数素子の温度について、それぞれ２種類で記載したが、５種類までは実験し、同様の効果が得られた。また、それ以上についても、同様な効果が得られることは言うまでもない。
【００９６】
同様に、正極、負極が他の材料からなるリチウムイオン二次電池を用いた組電池においても、電池内に物理的に通電電流を遮断する機能を有するリチウムイオン二次電池からなる組電池を用いた場合も、同様な効果が得られることは言うまでもない。
【００９７】
【発明の効果】
本発明に係る組電池においては、Ｘ個（Ｘ≧２）のリチウムイオン二次電池が並列接続された集合体を構成する各リチウムイオン二次電池の抵抗に差をもたせたため、充電時に並列に接続されている電池は抵抗の少ない電池に電流が集中して充電が行われる。また、抵抗の少ない電池が先に過充電状態になり、電池の温度が上昇し始めると、この抵抗の少ない電池に接続されている抵抗の少ない正の温度係数素子のトリップ温度が急上昇して、該抵抗の少ない正の温度係数素子の抵抗値が急上昇し、並列接続された電池において電池温度上昇時に抵抗の差が大きくなる。このため、今度は最初に抵抗が多かった電池に電流が集中して充電が行われ、この電池が過充電状態になってこの電池に接続されている最初に抵抗が多かった正の温度係数素子のトリップ温度が急上昇する。このようにして並列接続された電池間で、電池の急激な温度上昇のタイミングをずらすことになり、本発明に係る組電池によれば熱逸走を起こさずに、破裂、発火を防止できる。
【００９８】
一方、組電池の充電時に正の温度係数素子の温度を変化させたものは、抵抗は温度の関数で現わせるため抵抗値が異なり、上記した抵抗が異なる場合と同様な作用により、組電池の破裂、発火を防ぐことができる。
【図面の簡単な説明】
【図１】本発明に係る組電池の実施例１−１と実施例２−１の構成を示す回路図である。
【図２】本発明に係る組電池の実施例１−２と実施例２−２の構成を示す回路図である。
【図３】本発明に係る組電池の実施例１−３と実施例２−３の構成を示す回路図である。
【図４】本発明に係る組電池の実施例１−４と実施例２−４の構成を示す回路図である。
【図５】本発明に係る組電池の実施例１−５と実施例２−５の構成を示す回路図である。
【図６】本発明に係る組電池の実施例１−６と実施例２−６の構成を示す回路図である。
【図７】本発明に係る組電池の実施例１−７と実施例２−７の構成を示す回路図である。
【図８】比較例の組電池の比較例１−１と比較例２−１の構成を示す回路図である。
【図９】比較例の組電池の比較例１−２と比較例２−２の構成を示す回路図である。
【図１０】比較例の組電池の比較例１−３と比較例２−３の構成を示す回路図である。
【図１１】比較例の組電池の比較例１−４と比較例２−４の構成を示す回路図である。
【図１】
0003635995.tif 000004
【図２】
0003635995.tif 000005
【図３】
0003635995.tif 000006
【図４】
0003635995.tif 000007
【図５】
0003635995.tif 000008
【図６】
0003635995.tif 000009
【図７】
0003635995.tif 000010
【図８】
0003635995.tif 000011
【図９】
0003635995.tif 000012
【図１０】
0003635995.tif 000013
【図１１】
0003635995.tif 000014